(57)【要約】【課題】取付方向による不具合を解消する。【解決手段】ダクト１１の換気筒１２に取り付けられる覆い１６を、換気筒１２の外周部に配置される筒部２１と、筒部２１の一端側を閉鎖するカバー部２２で構成する。換気筒１２の周面１４と筒部２１との間に、換気筒１２の基端部側へ向けて開口する通気道３１を形成し、筒部２１先端に外側へ延出する鍔部３２を形成する。カバー部２２を、換気筒１２の先端から離間した位置に開口部１５と対向するように設け、換気筒１２を通気道３１を介して外部へ連通する。カバー部２２の周縁を鍔部３２より外側に延出し、カバー部２２の縁と鍔部３２の縁とを連設面４１で連設する。連設面４１を、鍔部２３とカバー部２２間に起立した隔壁５１及び取付ステイ２３で構成し、各隔壁５１及び取付ステイ２３間に、外周部へ向けて開口する排水口５２を設ける。【選択図】        図１
2004257678.tif 000002
【特許請求の範囲】
【請求項１】
内部に連通するダクト端部の開口部が覆いで覆われたベンチレーターにおいて、
前記覆いを、前記ダクトの外周部に配置され前記ダクト周面との間に通気道を形成する筒部と、前記ダクトの前記開口部に対向し離間して設けられ前記筒部の一端側を閉鎖するカバー部とで構成し、
前記ダクトに取り付けられた状態で該ダクトの端部から前記カバー部までに位置する領域に、外周部側へ向けて開口する排水口を設けたことを特徴とするベンチレーター。
【請求項２】
前記筒部の一端に外側へ延出する鍔部を設けるとともに、前記カバー部の周縁を前記鍔部上に配設し、該鍔部と前記カバー部周縁との間に、前記排水口を設けたことを特徴とする請求項１記載のベンチレーター。
【発明の詳細な説明】
【０００１】
【発明の属する技術分野】
本発明は、例えば換気用のベンチレーターに関する。
【０００２】
【従来の技術】
従来、ビルの屋上等からは、図４に示すように、室内に連通するダクト１０１が突出しており、該ダクト１０１には、ステイ１０２，１０２を介して覆い１０３が設けられ換気用のベンチレーター１０４が構成されていた。
【０００３】
このベンチレーター１０４の覆い１０３は、有底円筒状に形成されており、図４の（ｂ）に示すように、円筒状の側壁部１１１が前記ダクト１０１の外周部に配置されている。また、前記覆い１０３の円板状の底部１１２は、前記ダクト１０１の開口部１１３に対向して配置されており、ダクト１０１の開口部１１３を覆うように構成されている。
【０００４】
これにより、雨１２１などのダクト１０１の開口部１１３への浸入を防止できるように構成されている。
【０００５】
【発明が解決しようとする課題】
しかしながら、このようなベンチレーター１０４にあっては、取付方向が定められており、指定方向外に取り付けた場合、例えば図４の（ｃ）のように、下向きに延出するダクト１０１に覆い１０３を設けた際には、覆い１０３の中に雨水１３１が溜まってしまう。
【０００６】
この場合、雨水１３１によってダクト１０１の開口部１１３が閉鎖され、換気が阻害される恐れがあった。
【０００７】
本発明は、このような従来の課題に鑑みてなされたものであり、取付方向による不具合を解消することができるベンチレーターを提供することを目的とするものである。
【０００８】
【課題を解決するための手段】
前記課題を解決するために本発明の請求項１のベンチレーターにあっては、内部に連通するダクト端部の開口部が覆いで覆われたベンチレーターにおいて、前記覆いを、前記ダクトの外周部に配置され前記ダクト周面との間に通気道を形成する筒部と、前記ダクトの前記開口部に対向し離間して設けられ前記筒部の一端側を閉鎖するカバー部とで構成し、前記ダクトに取り付けられた状態で該ダクトの端部から前記カバー部までに位置する領域に、外周部側へ向けて開口する排水口を設けた。
【０００９】
すなわち、上向きに開口するダクトに覆いを取り付けた際には、ダクトの開口部への雨水の浸入が、覆いのカバー部によって防止される。
【００１０】
また、横向きに開口するダクトに覆いを取り付けた際には、ダクトの開口部への雨水の浸入が、覆いの筒部によって防止される。このとき、前記ダクトの端部から前記カバー部までに位置する領域には、外周部側へ向けて開口する排水口が設けられており、この排水口より覆い内へ雨水が浸入する恐れがあるが、この雨水は、下方に位置する排水口や前記筒部の開放端から外部へ排出される。
【００１１】
そして、下向きに開口するダクトに覆いを取り付けた際には、覆いの筒部の解放端から雨水が覆い内に浸入する恐れがあるが、この雨水は、前記ダクトの端部から前記カバー部まで領域に設けられた排水口を介して外部へ排出される。
【００１２】
また、請求項２のベンチレーターにおいては、前記筒部の一端に外側へ延出する鍔部を設けるとともに、前記カバー部の周縁を前記鍔部上に配設し、該鍔部と前記カバー部周縁との間に、前記排水口を設けた。
【００１３】
すなわち、覆いの筒部には、鍔部が設けられており、この鍔部とカバー部の周縁間に排水口が設けられている。このため、前記筒部に沿った流水の前記排水口から内部への浸入が防止される。
【００１４】
【発明の実施の形態】
以下、本発明の一実施の実施の形態を図面に従って説明する。図１は、本発明にかかるベンチレーター１を示す図であり、該ベンチレーター１は、ビルの屋上や側壁、工場の屋根、船舶、可般型の箱などに設けられるものである。
【００１５】
その一例であるビルの屋上には、屋外と室内とを連通するダクト１１の換気筒１２が突設されている。該換気筒１２の先端には、側方に延出するフランジ１３が全周に渡って形成されており、当該換気筒１２に付着した雨水などが周面１４を伝わって開口部１５から浸入しないように構成されている。この換気筒１２の上端部には、覆い１６が取り付けられており、該覆い１６によって上方に開口した前記開口部１５を覆うように構成されている。
【００１６】
この覆い１６は、取付状態において、前記換気筒１２の外周部に配置される円筒状の筒部２１と、該筒部２１の一端側を閉鎖するカバー部２２とによって構成されている。前記筒部２１と前記カバー部２２との内角部には、板状の取付ステイ２３，・・・が四箇所に設けられており、各取付ステイ２３，・・・の下角部には、前記換気筒１２の上端部に係合する切欠部２４が設けられている。これにより、当該覆い１６は、前記ダクト１１の換気筒１２の先端部に外嵌した状態で固定されている。
【００１７】
前記筒部２１の内径は、前記換気筒１２の外径より大径に設定されており、取付状態において、前記換気筒１２の周面１４と当該筒部２１との間に、前記換気筒１２の基端部側へ向けて開口する通気道３１を形成するように構成されている。前記筒部２１の先端には、外側へ延出する鍔部３２が全周に渡って形成されており、該鍔部３２は、基端から先端へ向かうに従って下方へ湾曲するように形成されている。
【００１８】
前記カバー部２２は、取付状態において、前記換気筒１２の先端から離間した位置に該換気筒１２の前記開口部１５と対向するように設けられており、前記取付ステイ２３，・・・によって、前記換気筒１２の先端からの離間距離が保たれている。これにより、前記換気筒１２が、その外周部に形成された前記通気道３１を介して、外部へ連通するように構成されている。
【００１９】
このカバー部２２は、円板状に形成されており、前記換気筒１２の中心線Ｃ上に位置する中央部が上方に膨出したドーム状を成し、雨水が周縁より流れ落ちるように構成されている。前記カバー部２２は、その周縁が前記鍔部３２より外側に延出する大きさに形成されており、当該カバー部２２の縁と前記鍔部３２の縁とを連設する連設面４１が、前記換気筒１２及び前記筒部２１の中心線Ｃの延在方向に対して傾斜角α、具体的には１４度傾斜するように設定されている。これにより、前記カバー部２２の縁より垂下する雨水などが下方へ滴下するように構成されている。
【００２０】
前記連設面４１は、図２に示すように、前記鍔部２３と前記カバー部２２の周縁部との間に起立した複数の隔壁５１，・・・及び前記取付ステイ２３，・・・によって形成されている。各隔壁５１，・・・及び前記取付ステイ２３，・・・は、所定の間隔をおいて設けられており、各隔壁５１，・・・及び前記取付ステイ２３，・・・間には、図１にも示したように、矩形状の排水口５２，・・・が形成されている。なお、この排水口５２，・・・は、矩形状に限定されるものでは無く、丸穴であっても良い。
【００２１】
これらの排水口５２，・・・は、前記筒部２１先端の前記鍔部３２と前記カバー部２２との間に設けられており、前記ダクト１１の換気筒１２に取り付けられた状態で、該換気筒１２の先端から前記カバー部２２までに位置する領域内に設定されている。各排水口５２，・・・は、当該覆い１６の外周部側へ向けて開口するとともに、その延在方向が斜め下方に傾斜するように設定されており、雨水などの浸入を防止するとともに、浸入した雨水を、その傾斜をもって外部へ排出できるように構成されている。
【００２２】
以上の構成にかかる本実施の形態において、図３の（ａ）に示すように、上向きに開口するダクト１１の換気筒１２に覆い１６を取り付けた際には、前記換気筒１２の開口部１５への雨水６１の浸入が、覆い１６のカバー部２２によって防止される。
【００２３】
また、図３の（ｂ）に示すように、下向きに開口するダクト１１の換気筒１２に覆い１６を取り付けた際には、該覆い１６の筒部２１の解放端から当該覆い１６内へ雨水６１が浸入する恐れがある。
【００２４】
しかし、前記筒部２１の換気筒１２の端部から前記カバー部２２までに位置する領域には、前記筒部２１の外周部側へ向けて開口する排水口５２，・・・が設けられており、前記覆い１６内に浸入した雨水６１は、前記換気筒１２の開口部１５の高さ位置に到達する前に排水口５２，・・・を介して外部へ排出される。これにより、覆い１６内部への雨水６１の貯留が防止される。
【００２５】
そして、図３の（ｃ）に示すように、横向きに開口するダクト１１の換気筒１２に覆い１６を取り付けた際には、換気筒１２の開口部１５への雨水６１の浸入が、覆い１６の筒部２１によって防止される。
【００２６】
このとき、当該覆い１６には、前記筒部２１の外周部側へ向けて開口する排水口５２，・・・が設けられており、この排水口５２，・・・より覆い１６内へ雨水６１が浸入する恐れがある。しかし、この雨水６１は、下方に位置する排水口５２，・・・や前記筒部２１の開放端から外部へ排出され、覆い１６内部への雨水の貯留が防止される。
【００２７】
このように、どのような方向へ開口するダクト１１の換気筒１２に覆い１６を取り付けてベンチレーター１を形成しても、換気筒１２の開口部１５への雨水６１の浸入を防止することができるとともに、覆い１６内部への雨水６１の貯留を防止し、雨水６１の貯留に起因した不具合を防止することができる。
【００２８】
したがって、覆い１６の取付方向によっては、覆い１６中に雨水６１が溜まってしまいダクト１１の換気筒１２の開口部１５が閉鎖されてしまう従来と比較して、適用範囲を広げることができる。これにより、汎用性を高めることができるとともに、使用状況によってダクト１１の開口方向が変わる部位への適用が可能となる。
【００２９】
また、この覆い１６の筒部２１には、鍔部３２が設けられており、この鍔部３２とカバー部２２の周縁間に排水口５２，・・・が設けられている。このため、前記筒部２１に沿って流れる雨水６１の前記排水口５２，・・・から内部への浸入を防止することができる。
【００３０】
【発明の効果】
以上説明したように本発明の請求項１のベンチレーターにあっては、どのような方向へ開口するダクトに覆いを取り付けてベンチレーターを形成しても、ダクトの開口部への雨水の浸入を防止することができるとともに、覆い内部への雨水の貯留を防止し、雨水の貯留に起因した不具合を防止することができる。
【００３１】
したがって、覆いの取付方向によっては、覆い中に雨水が溜まってしまいダクトの開口部が閉鎖されてしまう従来と比較して、適用範囲を広げることができる。これにより、汎用性を高めることができるとともに、使用状況によってダクトの開口方向が変わる部位への適用が可能となる。
【００３２】
また、請求項２のベンチレーターにおいては、覆いの筒部には、鍔部が設けられており、この鍔部とカバー部の周縁間に排水口が設けられている。このため、前記筒部に沿った流水の前記排水口から内部への浸入を防止することができる。
【図面の簡単な説明】
【図１】本発明の一実施の形態の側面を示す図である。
【図２】同実施の形態の平面を示す一部断面図である。
【図３】同実施の形態の利用形態を示す断面図である。
【図４】従来のベンチレーターの利用形態を示す断面図である。
【符号の説明】
１    ベンチレーター
１１    ダクト
１４    周面
１５    開口部
１６    覆い
２１    筒部
２２    カバー部
３１    通気道
３２    鍔部
５２    排水口
【図１】
2004257678.tif 000003
【図２】
2004257678.tif 000004
【図３】
2004257678.tif 000005
【図４】
2004257678.tif 000006